【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
装置本体と、
前記装置本体に着脱可能に設けられ現像剤を受け渡すための開口部を有する現像剤収容容器と、
前記現像剤収容容器に装着され前記開口部を開閉するシャッタと、を備え、
前記シャッタは、当該シャッタの移動方向に交差する幅方向に移動可能な係合部を有し、
前記装置本体は、前記現像剤収容容器を取り出す動作を行う際に、前記シャッタが前記係合部に当接し前記シャッタを前記開口部を閉める位置に移動させる第一当接部を有し、
前記現像剤収容容器は、前記移動方向に沿い前記開口部を開ける方向である挿入方向に前記シャッタを当該現像剤収容容器に対し移動させて、前記シャッタを前記現像剤収容容器に装着する際に、前記係合部に当接し前記係合部を前記幅方向に移動させて、前記シャッタを当該現像剤収容容器に装着させる第二当接部を有し、
前記係合部は、前記現像剤収容容器の取り出す方向の移動に伴い前記第一当接部と当接し前記取り出す方向に対して第一の角度をなす第一傾斜面と、前記シャッタの前記挿入方向の移動に伴い前記第二当接部と当接し前記挿入方向に対する角度が前記第一の角度よりも小さい第二傾斜面とを有する、
ことを特徴とする画像形成装置。
【請求項２】
前記係合部は、前記第二傾斜面の一部に凹状に形成された凹部を有し、
前記第一傾斜面は、前記凹部に前記第二傾斜面よりも前記挿入方向の上流側に設けられ、前記シャッタが前記現像剤収容容器に対し前記挿入方向に移動した際に前記第二当接部に当接しない、
ことを特徴とする請求項１に記載の画像形成装置。
【請求項３】
前記凹部は、前記第二傾斜面に対し前記幅方向に直交し且つ前記挿入方向に直交する方向にずれて形成され、前記第二傾斜面の一部が前記直交する方向に関し前記第一傾斜面に並んで配設されている、
ことを特徴とする請求項２に記載の画像形成装置。
【請求項４】
前記現像剤収容容器の前記開口部の周囲に設けられ、前記現像剤収容容器と前記シャッタとの隙間を封止するシール部材を備え、
前記係合部は、前記第一傾斜面と前記第一当接部とが当接している場合に、前記現像剤収容容器を抜き出す動作に伴い、前記シャッタと前記シール部材との間に生じて前記シャッタを前記現像剤収容容器に対して前記取り出す方向の反対方向に相対移動させない静止摩擦力よりも大きく、前記シャッタを前記現像剤収容容器に対して前記反対方向に相対移動させる抵抗力を、前記第一傾斜面と前記第一当接部との間に生じさせる、
ことを特徴とする請求項１乃至３のいずれか１項に記載の画像形成装置。
【請求項５】
前記装置本体は、前記第一当接部よりも前記現像剤収容容器を前記装置本体に装着する際の装着方向下流側に設けられ、前記現像剤収容容器が装着された状態で前記係合部と係合して前記シャッタを前記開口部を開く位置に保持する被係合部を有し、
前記係合部は、前記現像剤収容容器を前記装置本体から取り出すときに前記被係合部に当接する前記第二傾斜面の一部と前記被係合部との係合が解除されて前記取り出す方向に移動し、その後、前記現像剤収容容器の前記取り出す方向の移動に伴い前記第一傾斜面が前記第一当接部に当接する、
ことを特徴とする請求項１乃至４のいずれか１項に記載の画像形成装置。
【請求項６】
開口部を有する収容部と、
前記収容部に装着され前記開口部を開閉するシャッタと、を備え、
前記シャッタは、前記収容部に装着する際の当該シャッタの挿入方向に交差する幅方向に移動可能な係合部を有し、
前記収容部は、前記シャッタの当該収容部への装着動作に伴い前記シャッタが前記挿入方向に移動した際に、前記係合部に当接し前記係合部を前記幅方向に移動させて、前記シャッタを当該収容部に装着させる当接部を有し、
前記係合部は、前記シャッタの挿入方向の移動に伴い前記当接部と当接しない第一傾斜面と、前記挿入方向に対する角度が前記第一傾斜面の前記角度よりも小さい角度に設けられ、前記シャッタの挿入方向の移動に伴い前記当接部と当接する第二傾斜面とを有する、
ことを特徴とする現像剤収容容器。
【請求項７】
現像剤収容容器に装着可能なシャッタであって、
開口部を有する板状の本体部と、
前記本体部の側面から前記現像剤収容容器に装着する際の挿入方向に突出した係止部と、
前記係止部の先端側に前記挿入方向に交差する幅方向に移動可能な係合部と、を備え、
前記係合部は凹状に形成された凹部を有し、前記挿入方向に対して所定角度で傾斜するように前記凹部に配設された第一傾斜面と、前記挿入方向に対する角度が前記所定角度よりも小さい角度で傾斜するように前記凹部以外に配設された第二傾斜面とを有する、
ことを特徴とするシャッタ。
【手続補正２】
【補正対象書類名】明細書
【補正対象項目名】０００８
【補正方法】変更
【補正の内容】
【０００８】
本発明に係る画像形成装置は、装置本体と、前記装置本体に着脱可能に設けられ現像剤を受け渡すための開口部を有する現像剤収容容器と、前記現像剤収容容器に装着され前記開口部を開閉するシャッタと、を備え、前記シャッタは、当該シャッタの移動方向に交差する幅方向に移動可能な係合部を有し、前記装置本体は、前記現像剤収容容器を取り出す動作を行う際に、前記シャッタが前記係合部に当接し前記シャッタを前記開口部を閉める位置に移動させる第一当接部を有し、前記現像剤収容容器は、前記移動方向に沿い前記開口部を開ける方向である挿入方向に前記シャッタを当該現像剤収容容器に対し移動させて、前記シャッタを前記現像剤収容容器に装着する際に、前記係合部に当接し前記係合部を前記幅方向に移動させて、前記シャッタを当該現像剤収容容器に装着させる第二当接部を有し、前記係合部は、前記現像剤収容容器の取り出す方向の移動に伴い前記第一当接部と当接し前記取り出す方向に対して第一の角度をなす第一傾斜面と、前記シャッタの前記挿入方向の移動に伴い前記第二当接部と当接し前記挿入方向に対する角度が前記第一の角度よりも小さい第二傾斜面とを有する、ことを特徴とする。
【手続補正３】
【補正対象書類名】明細書
【補正対象項目名】０００９
【補正方法】変更
【補正の内容】
【０００９】
本発明に係る現像剤収容容器は、開口部を有する収容部と、前記収容部に装着され前記開口部を開閉するシャッタと、を備え、前記シャッタは、前記収容部に装着する際の当該シャッタの挿入方向に交差する幅方向に移動可能な係合部を有し、前記収容部は、前記シャッタの当該収容部への装着動作に伴い前記シャッタが前記挿入方向に移動した際に、前記係合部に当接し前記係合部を前記幅方向に移動させて、前記シャッタを当該収容部に装着させる当接部を有し、前記係合部は、前記シャッタの挿入方向の移動に伴い前記当接部と当接しない第一傾斜面と、前記挿入方向に対する角度が前記第一傾斜面の前記角度よりも小さい角度に設けられ、前記シャッタの挿入方向の移動に伴い前記当接部と当接する第二傾斜面とを有する、ことを特徴とする。
【手続補正４】
【補正対象書類名】明細書
【補正対象項目名】００１０
【補正方法】変更
【補正の内容】
【００１０】
本発明に係るシャッタは、現像剤収容容器に装着可能なシャッタであって、開口部を有する板状の本体部と、前記本体部の側面から前記現像剤収容容器に装着する際の挿入方向に突出した係止部と、前記係止部の先端側に前記挿入方向に交差する幅方向に移動可能な係合部と、を備え、前記係合部は凹状に形成された凹部を有し、前記挿入方向に対して所定角度で傾斜するように前記凹部に配設された第一傾斜面と、前記挿入方向に対する角度が前記所定角度よりも小さい角度で傾斜するように前記凹部以外に配設された第二傾斜面とを有する、ことを特徴とする。